(57)【要約】      （修正有）【課題】机やカウンターの天板上に容易に設置・移動・撤去が可能であるとともに、天板上に安定的に設置可能な飛沫防止パーティションを提供する。【解決手段】透明な板状のパネル部１０と、パネル部１０を支持して立設させる脚部３０ａ、３０ｂとを備えた飛沫防止パーティション１であって、パネル部１０の長手方向に直交する方向において、脚部の端部よりも外側まで延設された台板５０を脚部３０ａ、３０ｂに固定した。また、パネル部１０の長手方向の手前側縁１４は、脚部３０ｂが取り付けられた部位よりも延設されように構成されており、脚部３０ｂよりも手前側においても飛沫防止を行えるようにした。【選択図】図１
0003231849.tif 000002
【実用新案登録請求の範囲】
【請求項１】
板状のパネル部と、前記パネル部を支持して立設させる脚部とを備えた飛沫防止パーティションであって、前記パネル部の長手方向に直交する方向において、前記脚部の端部よりも外側まで延設された台板が前記脚部に固定されている飛沫防止パーティション。
【請求項２】
前記台板が平面視矩形状に形成された請求項１に記載の飛沫防止パーティション 。
【請求項３】
前記台板は薄板状 に形成されている請求項１または請求項２に記載の飛沫防止パーティション。
【請求項４】
前記台板は、３ｍｍ以下の厚みに形成されている請求項１から請求項３のいずれかに記載の飛沫防止パーティション。
【請求項５】
前記パネル部の長手方向の一方の端部は、前記脚部が取り付けられた部位よりも延設されている請求項１から請求項４のいずれかに記載の飛沫防止パーティション。
【請求項６】
前記パネル部は透明であり、前記パネル部の少なくともいずれかの縁に、半透明又は不透明な枠部を備えた請求項１から請求項５までのいずれかに記載の飛沫防止パーティション。
【請求項７】
前記枠部は、パネル部の長手方向の両側の縁に備えられている請求項６に記載の飛沫防止パーティション。
【請求項８】
板状のパネル部と、前記パネル部を支持して立設させる脚部とを備えた飛沫防止パーティションであって、前記パネル部の長手方向に直交する方向において、前記脚部の端部よりも外側まで延設された平面視矩形状であって薄板状の台板が前記脚部に固定され、前記パネル部の長手方向の一方の端部は、前記脚部が取り付けられた部位よりも延設され、前記パネル部は透明であり、前記パネル部の長手方向の両側の縁に、半透明又は不透明な枠部を備えた飛沫防止パーティション。
【考案の詳細な説明】
【技術分野】
【０００１】
本考案は、飛沫防止パーティションに関する。
【背景技術】
【０００２】
従来から、机やカウンターの天板上に設置される飛沫防止パーティションが知られている。これらの飛沫防止パーティションには、飛沫の飛散を抑制する板状のパネル部を備えるとともに、このパネル部の下側縁に取り付けられた脚部により天板上に立設可能に設けられるものがあり、このように構成されることにより、ねじ止めなどする必要なく天板上に容易に設置することができ、また容易に移動・撤去も可能とされる（特許文献１参照）。
【先行技術文献】
【特許文献】
【０００３】
【特許文献１】実用新案登録第３２２８２２６号公報（図１等）
【考案の概要】
【考案が解決しようとする課題】
【０００４】
従来の飛沫防止パーティションは、テーブル等の天板上で容易に設置・移動・撤去が可能とするために、天板に対して固定はされておらず、天板に対して単に載置されているだけである。一方、テーブル等の天板上は作業スペースを十分に確保する必要性があり、特にテーブル等に着席可能な人数を一定以上に確保しながら、飛沫防止を求めようとすると、テーブル等の天板上のスペースをできるだけ制約しないことが望まれる。ところが、従来の天板に対してネジ等によって固設されていない飛沫防止パーティションでは、安定的な設置のために飛沫防止パーティションを天板上に安定的に設置するために脚部を大きくしりするなどの必要性が高まり、天板上のスペースを制約することになってしまう。
【０００５】
本考案は、前述した従来の飛沫防止パーティションの問題点を解決するものであり、机やカウンターの天板上に容易に設置・移動・撤去が可能であるとともに、天板上に安定的に設置可能な飛沫防止パーティションを提供することを目的とする。
【課題を解決するための手段】
【０００６】
前述の目的を達成する手段は、以下のものである。
（１）板状のパネル部と、前記パネル部を支持して立設させる脚部とを備えた飛沫防止パーティションであって、前記パネル部の長手方向に直交する方向において、前記脚部の端部よりも外側まで延設された台板が前記脚部に固定されている飛沫防止パーティション。
台板が脚部の端部よりも外側まで延設されているので、飛沫防止パーティションが天板等の上で転倒し難くすることができ、天板等の上に安定的に設置することができる。
【０００７】
（２）前記台板が平面視矩形状に形成された（１）に記載の飛沫防止パーティション。
平面視矩形状に形成されることにより、天板等の上に飛沫防止パーティションをより安定的に設置することができる。
【０００８】
（３）前記台板は薄板状に形成されている（１）または（２）に記載の飛沫防止パーティション。
（４）前記台板は、３ｍｍ以下の厚みに形成されている（１）から（３）のいずれかに記載の飛沫防止パーティション。
薄板状に台板を形成することにより、台板によって天板等の上の作業空間を必要以上に狭める等の問題が生じない。特に３ｍｍ以下の厚みとすることが望ましい。
【０００９】
（５）前記パネル部の長手方向の一方の端部は、前記脚部が取り付けられた部位よりも延設されている（１）から（４）のいずれかに記載の飛沫防止パーティション。
パネル部が脚部の取り付け位置よりも延設されているので、脚部を机等の天板等の手前側の端部上に設置しても、さらに手前側にパネル部がせり出すようにして配置させることができる。よって、天板等の上方のみではなく、天板の手前の空間の飛沫を防止することも可能となり、飛沫防止をより確実とすることができる。
【００１０】
（６）前記パネル部は透明であり、前記パネル部の少なくともいずれかの縁に、半透明又は不透明な枠部を備えた（１）から（５）までのいずれかに記載の飛沫防止パーティション。
（７）前記枠部は、パネル部の長手方向の両側の縁に備えられている（６）に記載の飛沫防止パーティション。
パネル部が透明な場合には、誤ってパネル部に接触してしまい、飛沫防止パーティションを転倒させてしまうようなおそれが高まる。上記のような半透明又は不透明な枠部を備えることにより、透明なパネル部の縁を容易に認識することができ、このようなおそれを低減させることができる。特にパネル部の長手方向の縁に接触するおそれが高いため、長手方向の両側の縁にこのような枠部を備えることが望ましい。
【００１１】
（８）板状のパネル部と、前記パネル部を支持して立設させる脚部とを備えた飛沫防止パーティションであって、前記パネル部の長手方向に直交する方向において、前記脚部の端部よりも外側まで延設された平面視矩形状であって薄板状の台板が前記脚部に固定され、前記パネル部の長手方向の一方の端部は、前記脚部が取り付けられた部位よりも延設され、前記パネル部は透明であり、前記パネル部の長手方向の両側の縁に、半透明又は不透明な枠部を備えた飛沫防止パーティション。
【考案の効果】
【００１２】
本考案の飛沫防止パーティションでは、脚部の端部よりも外側まで延設された台板を備え、この台板により天板等の上に載置することができる。よって、机やカウンターの天板上に容易に設置・移動・撤去が可能であるとともに、天板上に安定的に設置可能な飛沫防止パーティションとすることができる。
【図面の簡単な説明】
【００１３】
【図１】図１は、本考案の飛沫防止パーティションの斜視図である。
【図２】図２は、本考案の飛沫防止パーティションの分解斜視図である。
【図３】図３は、本考案の飛沫防止パーティションの要部右側面図である。
【図４】図４は、本考案の別の飛沫防止パーティションの要部右側面図である。
【００１４】
以下、本考案の飛沫防止パーティションについて、図面に示した実施の形態を用いて説明する。図１に示されるように、本考案の飛沫防止パーティション１は、矩形薄板状のパネル部１０と、パネル部１０の下側縁１１に取り付けられた二つの脚部３０ａ，３０ｂとを備えている。そして、この脚部３０ａ，３０ｂの下部には台板５０が取り付けられており、台板５０を介して、机やカウンターの天板上に簡易に載置可能に構成されているものである。
【００１５】
パネル部１０は図１及び図２に示されるように、正方形の薄板状に形成されており縦６００ｍｍ、横６００ｍｍ、厚さ３ｍｍとされている。これらの各寸法は、設置場所、用途等の種々の条件によって適宜変更することができる。本パネル部１０は塩化ビニール製とされており、簡易に加工が可能であり、製造コストを低減させることができる。一方、アクリル、ポリエチレンテレフタレート、ポリスチレン、ポリカーボネート、ＡＢＳ等の他の材質とすることもでき、設置場所、用途、サイズ等の種々の条件によって適宜変更することができる。本例では、パネル部１０の奥側に位置する人等とのコミュニケーションを円滑に行えるようにするために、パネル部１０は透明に構成されている。しかしながら、必要に応じて半透明・不透明とすることも可能である。例えば、知人同士ではない人が隣り合って着席する飲食店舗のカウンター上に設置する飛沫防止パーティションのように、プライバシー確保が必要とされる場合には、不透明とすること望ましい。また、パネル部１０は本例では正方形に形成されているが、長方形や、円形等、その他の形状としても良い。正方形に限る主旨ではない。
【００１６】
パネル部１０の下側縁１１には、脚部３０ａ，３０ｂを固定するための挿通孔１５ａ，１５ｂ、１６ａ，１６ｂがそれぞれ開口されている。これらの挿通孔１５ａ，１５ｂ、１６ａ，１６ｂは下側縁に沿って開口されている。挿通孔１５ａ、１５ｂは、それぞれパネル部１０の奥側縁１２から、１５ｍｍ、８０ｍｍの位置に形成されている。また、挿通孔１６ａ，１６ｂは、それぞれパネル部１０の手前側縁１４から、２３５ｍｍ、１７０ｍｍの位置に形成されている。そして、挿通孔１５ａ，１５ｂは、パネル部１０の奥側縁１２寄りに、脚部３０ａに設けられた挿通孔３６ａ，３６ｂの間隔と同じ一定の間隔をおいて開口されている。一方、挿通孔１６ａ，１６ｂは、パネル部１０の手前側縁１４寄りに、手前側縁１４からやや離れた位置に、脚部３０ｂに設けられた挿通孔３６ａ，３６ｂの間隔と同じ一定の間隔をおいて開口されている。そして後述するように、パネル部１０の下側縁１１に取り付けられる脚部３０ｂの端部からパネル部１０の手前側縁１４までは１５０ｍｍの距離が設けられている。
【００１７】
また、パネル部１０の奥側縁１２には不透明のアルミ枠１８ａが取り付けられている。また同様に、パネル部１０の手前側縁１４には不透明のアルミ枠１８ｂが取り付けられている。これらのアルミ枠１８ａ、１８ｂは、前述した本考案における「枠部」であり、透明なパネル部１０の前後における端部である奥側縁１２及び手前側縁１４の位置を利用者に認識容易にすることができる。よって、全体として透明なパネル部１０の前後方向における端部の位置を容易に認識可能とし、パネル部１０に不用意に接触するおそれを低減することができる。したがって、利用者が接触して飛沫防止パーティション１を不用意に倒してしまう等のおそれを低減させることができる。パネル部１０の奥側縁１２に取り付けられるアルミ枠１８ａは、パネル部１０の側部において、パネル部１０の上端から、図３に示されるように、後述する脚部３０ａの上端の位置までの長さに設けられ、その長さは５５５ｍｍとされている。一方、パネル部１０の手前側縁１４に取り付けられるアルミ枠１８ｂは、手前側縁１４の前兆に渡って設けられており、その長さは手前側縁１４と同じ６００ｍｍとされている。
【００１８】
なお、本例では、アルミ枠１８ａ、１８ｂは、パネル部１０の奥側縁１２及び手前側縁１４の上端までを被覆しており、またパネル部１０の奥側縁１２の脚部３０ａまでの部位、及びパネル部１０の手前側縁１４の下端までを被覆しているので、パネル部１０の上側縁１３及び下側縁１１の位置も間接的に認識可能としている。しかしながら、パネル部１０の前後方向における奥側縁１２及び手前側縁１４の位置を認識可能であれば十分な場合には、例えば、アルミ枠１８ａ、１８ｂの長さは、パネル部１０の奥側縁１２又は手前側縁１４の一部における長さとしても良い。あるいは、アルミ枠１８ａ、１８ｂの上端を、少なくともパネル部１０の上側縁１３まで設ければ、パネル部１０の奥側縁１２、手前側縁１４のパネル部１０の前後方向における位置を容易に認識することができるようにすることができるとともに、パネル１０の上側縁１３の位置も容易に認識することができるようにすることができる。
【００１９】
次いで、パネル部１０の下側縁１１に取り付けられる脚部３０ａ，３０ｂについて説明する。脚部３０ａと脚部３０ｂとは同形状に形成されている。ここではまず、飛沫防止パーティション１の奥側に取り付けられている脚部３０ａについて説明する。脚部３０ａは、図１及び図２に示されるように正面視において横長の矩形状に形成されるとともに、側方からみて「L」字状に形成された部材である二つの脚部材３２を備えている。そして、二つの脚部材３２のそれぞれの立設部３３を向き合わせるようにして固定されて脚部３０ａが構成されている。また二つの脚部材３２のそれぞれの底部３４は台板５０に固定されている。本例では、底部３４は台板５０に対して接着固定されている。また、各脚部材３２は、その長さが９５ｍｍ、高さが４５ｍｍ、幅が２６ｍｍに形成されている。そして、脚部３０ｂはこのような脚部３０ａと同様に構成されている。また、パネル部１０に二つの脚部材３２が取り付けられた状態において、脚部３０ａの幅は５５ｍｍとなるように構成されている。これらの両脚部材３２間は、パネル部１０の厚みと同じく３ｍｍの空間が設けられており、後述するように、両脚部材３２間にパネル部１０を挿嵌することができるように構成されている。
【００２０】
台板５０は、図２に示されるように、平面視において長方形状の薄板状に形成されている。台板５０は前後方向の長さが４５０ｍｍ、幅が９５ｍｍ、厚さが３ｍｍに形成されている。台板５０は、本例では塩化ビニール製であり、透明な部材とされているが、他の樹脂製又は樹脂以外の種々の材質に変更することは可能である。本例においては、パネル部１０と同じ塩化ビニール製板材から切り出して製造されており、飛沫防止パーティション１の製造コストを低減させている。
【００２１】
台板５０は、脚部３０ａ、３０ｂの幅方向における端部よりもさらに外側にその端部が位置する形状に設けられている。具体的には、脚部３０ａ，３０ｂの幅方向における端部は、パネル部１０の幅方向における中心線から２７．５ｍｍの位置とされているが、一方、台板５０の幅方向におけるその端部の位置は、４７．５ｍｍとされている。すなわち、台板５０のその幅方向におけるそれぞれの端部は、脚部３０ａ，３０の幅方向におけるそれぞれの端部の位置よりも２０ｍｍ外側に位置する。したがって、脚部３０ａ，３０ｂよりも幅方向外側において飛沫防止パーティション１全体を支持することができる。よって、幅方向における飛沫防止パーティション１の傾動を抑制でき、飛沫防止パーティション１の幅方向における転倒等を抑制し、飛沫防止パーティション１を安定的に設置することができる。
【００２２】
また、台板５０の幅方向の長さは前述した長さに限られない。飛沫防止パーティション１の幅方向における転倒の抑制という点では、台板５０の幅方向の長さをより長くすることが望ましい。一方で、台板５０の幅が大きくなると、飛沫防止パーティション１が載置される机等の作業スペースに干渉し、作業の効率が悪くなる。このため、飛沫防止パーティション１が設置されると想定される机等の作業スペースを前提にして、台板５０の幅方向の長さは適宜の変更をすることが望ましい。
【００２３】
また、台板５０の平面視形状は長方形状とされているが、これに限られない。例えば図４に示されるように、パネル部１０の長手方向に沿って脚部３０ａ、３０ｂの端部の位置においてのみ、パネル部１０の長手方向に対して直交する方向にせり出すような平面形状とされた台板５０ａとすることもできる。このような台板５０ａであっても、飛沫防止パーティション１の前後左右方向における支持を台板５０と同様に行うことができるので、飛沫防止パーティション１を安定的に設置することができる。なお、長方形状に形成された台板５０では、母材から直線的に切断するだけで製造できるので製造コストを低減させることができ、また強度もより確保することができる。
【００２４】
また、台板は前述した台板５０、５０ａ以外にも種々の形状とすることができる。パネル部１０に対して、脚部３０ａ、３０ｂよりもより外側に延設されて飛沫防止パーティション１を支持することが可能であれば、脚部３０ａ、３０ｂのみを備えた従来の飛沫防止パーティションよりもより安定的に設置することができる。
【００２５】
次いで、飛沫防止パーティション１の前述の各部品の組み立て方について説明する。図２に示されるように、アルミ枠１８ａ，１８ｂをパネル部１０に対して予め接着固定する。また、脚部３０ａ及び脚部３０ｂについても、台板５０に予め接着固定する。脚部３０ａ及び脚部３０ｂは、これらを構成するそれぞれ２つの脚部材３２間が３ｍｍの間隔をあけた状態で台板５０に接着する。このように、パネル部１０及びアルミ枠１８ａ，１８ｂ、並びに脚部３０ａ，３０ｂ及び台板５０の２つの部材を別にした状態で出荷され、設置場所においてこれらのパネル部１０及びアルミ枠１８ａ，１８ｂ、並びに脚部３０ａ，３０ｂ及び台板５０とが組付けられて完成される。
【００２６】
設置場所においては、脚部３０ａ，３０ｂのそれぞれの脚部材３２間に、パネル部１０を差し込むようにして挿嵌し、ボルト４０とナット４２によって固定する。前述の通り、パネル部１０の挿通孔１５ａ，１５ｂは、パネル部１０の奥側縁１２寄りに固定される脚部３０ａに設けられた挿通孔３６ａ，３６ｂに対応される位置に設けられており、挿通孔１６ａ，１６ｂは、パネル部１０の手前側縁１４寄りに固定される脚部３０ｂに設けられた挿通孔３６ａ，３６ｂに対応される位置に設けられている。そしてそれぞれ挿通孔１５ａ，１５ｂと挿通孔３６ａ，３６ｂ、挿通孔１６ａ，１６ｂと挿通孔３６ａ，３６ｂにボルト４０を差し込んでナット４２により緊締し、パネル部１０を脚部材３２間に挟持固定して組付けが完了する。
【００２７】
ついで、本実施の形態の飛沫防止パーティション１の作用効果について説明する。前述のように飛沫防止パーティション１は構成されており、パネル部１０の長手方向に直交する方向において、台板５０，５０ａが脚部３０ａ，３０ｂよりもさらに外側まで延設される長さに設けられているので、机等の天板上に安定して設置することが可能である。よって、飛沫防止パーティション１が転倒するおそれを低減することができる。一方、薄い板状に形成されているので、脚部を延伸した場合のように天板上の作業空間を必要以上に制約することが無く、台板上は作業空間として使用することが可能である。また、本例とは異なるが、汎用的な脚部のみを備えた既存の飛沫防止パーティションの脚部の裏側に、後付けで台板を取り付けることとすれば同様の作用効果をもたらすことができる。また、手前側の脚部３０ｂよりもさらに手前側に１５０ｍｍパネル部１０が延伸されるように配置されているので、脚部３０ｂを天板上の端に載置した際に、さらに天板上の手前側の空間にもパネル部１０の一部を配置させることができる。よって、天板の上方のみではなく、天板の手前の空間の飛沫を防止することも可能となる。また、パネル部１０を支持し台板５０固定された脚部３０ａ、３０ｂは、脚部３０ａ、３０ｂの底面積よりも大きな面積を有する台板５０によって天板等の上に設置される。このため飛沫防止パーティション１全体の重さを大きな面積の台板５０全体に分散させることができるので、飛沫防止パーティション１を安定して設置することができ、例えばがたつきなどを低減させることができる。
【００２８】
このような飛沫防止パーティション１は、安定的に設置できるとともに、天板にねじなどで固定するものではないので、天板上に容易に設置できるとともに、移動及び撤去も容易である。そして、設置後において飛沫を防止できるとともに、飛沫防止パーティション１をはさんだコミュニケーションも容易に行うことができる。
【００２９】
本考案の飛沫防止パーティションは、前述した飛沫防止パーティション１に限られるものではなく、本考案の主旨の範囲内で適宜変更が可能である。例えば、パネル部の形状や厚みは前述した例以外のものとしても良い。例えば、前述の例において、手前側の脚部３０ｂよりも手前側のパネル部１０をさらに下方に延設することもでき、このような態様においては天板等の下方における飛沫の防止も可能である。脚部の数を３つ以上とすることも可能である。また、例えば前述の脚部３０ａ，３０ｂを連結したような長い１つの脚部とすることもできる。また脚部の形状は平面視矩形状以外の他のものに変更しても良い。また、例えば、脚部３０ｂの端部をパネル部１０の手前側縁１４に揃えるようして配置するように変更しても良い。なお、この場合はアルミ枠１８ｂの長さをアルミ枠１８ａと同じ長さに変更しても良い。
【産業上の利用可能性】
【００３０】
本考案は、机やカウンターの天板上等に用いる飛沫防止パーティションに広く利用することができる。
【符号の説明】
【００３１】
１；飛沫防止パーティション、１０；パネル部、１１；下側縁、１２；奥側縁、１３；上側縁、１４；手前側縁、１５ａ，１５ｂ、１６ａ，１６ｂ；挿通孔、１８ａ,１８ｂ；アルミ枠、３０ａ，３０ｂ；脚部、３２；脚部材、３３；立設部、３４；底部、３６ａ，３６ｂ；挿通孔、４０；ボルト、４２；ナット、５０,５０ａ；台板。
【図１】
0003231849.tif 000003
【図２】
0003231849.tif 000004
【図３】
0003231849.tif 000005
【図４】
0003231849.tif 000006